Podtech/llm-jp-corpus-v4-ja_patent huggingface dataset:
(57)【要約】【課題】  従来の工事現場では、施工箇所から出てくる湧水、雨水等の濁流水を単に水を導くだけの排水側溝やポンプにて吸引し近隣排水箇所へ流すだけだったため、排水路及び河川への影響が少なからず発生していた。【解決手段】  本発明は上記目的を達成するために、古タイヤを半分に切断し、その切断したものを並列に市販の金属製等のクリップにてホース状に複数接合し、ゴムの柔軟性を利用して排水路の形状に沿った形で設置する。上記のような形態で設置後、濁流水を流した際、上流から下流に向けてのこの古タイヤを接合した排水溝には、それぞれの古タイヤが持つ半輪状のタイヤ形状が蛇腹状に並んでいることから、それぞれの半輪状のタイヤ内側に濁流水内の汚泥が自重により沈み込むと共に、半輪状のタイヤ内側の形状に沿った形で水流も廻るため、汚泥を食い止め、堆積させる水流も同時に発生させる。これにより、汚泥及び砂、石等を除去する。【選択図】図１
2009156013.tif 000002
【特許請求の範囲】
【請求項１】
古タイヤを半分に切断した上、切断したものを金属製等のクリップにて水平にホース又は水路状に複数接続し工事現場から出てくる濁流水を排水する際に用いる水路側溝。
【発明の詳細な説明】
【技術分野】
【０００１】  本発明は、工事現場等から出る不要な濁流水を適切な箇所へ導くためと、その濁流水の中から汚泥、砂及び石等を取り除き、近隣の排水路及び河川の汚染を防ぐためのゴム製水路側溝に関する。
【背景技術】
【０００２】  従来の濁流水の排水は単なる排水側溝のみ、もしくはポンプにて吸引後近隣排水箇所へ流していた。
【発明の開示】
【発明が解決しようとする課題】
【０００３】  従来の工事現場では、施工箇所から出てくる湧水や雨水等の濁流水を単に水を導くだけの排水側溝やポンプにて吸引し近隣排水箇所へ流すだけだったため、排水路及び河川への影響が少なからず発生していた。【０００４】  本発明はこのような工事場所での排水に関わる問題を解決しようとするものであり、濁流水を排水する課程において水の中に含まれる汚泥を除去することを目的としたものである。
【課題を解決するための手段】
【０００５】  本発明は上記目的を達成するために、古タイヤを半分に切断し、その切断したものを並列に市販の金属製等のクリップにてホース状に複数接合し、ゴムの柔軟性を利用して排水路の形状に沿った形で設置する。【０００６】  上記のような形態で設置後、濁流水を流した際、上流から下流に向けてのこの古タイヤを接合した排水水路側溝には、それぞれの古タイヤが持つ半輪状のタイヤ形状が蛇腹状に並んでいることから、それぞれの半輪状のタイヤ内側に濁流水内の汚泥が自重により沈み込むと共に、半輪状のタイヤ内側の形状に沿った形で水流も廻るため、汚泥を食い止め、堆積させる水流も同時に発生させる。【０００７】  上記のような形態で利用する中で、半輪状のタイヤ内側に汚泥が堆積するが、その堆積量がタイヤ内側にいっぱいに堆積した際には、この堆積物を取り除くことにより、随時その除去効果を当初のものにすることができる。
【発明の効果】
【０００８】  上述した内容にて本発明のゴム製排水水路側溝は、工事現場から発生する濁流水の汚泥及び石等を直接排水されることを防ぐことから、近隣排水路及び近隣河川の汚泥による汚染を防ぐことが可能となる。【０００９】  また、このゴム製排水水路側溝は古タイヤを利用するため、従来は廃棄及び焼却処理されていたものを再利用することにより、安価で製作できると共に、粗大ゴミの減少及びＣＯ２の削減をも実現できるものである。
【発明の実施するための最良の形態】
【００１０】  以下、本発明の実施の形態を図１〜図３に基づいて説明する。
【００１１】  図１及び図２においては、１は古タイヤを半分に切断したもので、この切断したものを２の金属製等のクリップにて平行にホース状の長い形で接合させる。
【００１２】  図１において１は古タイヤのため、内側に車に装着する際のホイルとタイヤ設置面との間に空気を挿入するための５の半輪状の空間が空いており、図３においてはこの空間５に４の汚泥や砂、石等が堆積されることになる。
【００１３】  図２のように古タイヤを接合していくことから、設置箇所の勾配や曲線に沿った形に自在に接合させることが可能である。
【図面の簡単な説明】
【００１４】
【図１】本発明の実施形態を示すゴム製排水水路側溝の斜視図
【図２】同ゴム製排水水路側溝の断面図
【図３】同ゴム製排水水路側溝を実際に設置及び使用した際の断面図
【符号の説明】
【００１５】  １  半分に切断した古タイヤ
２  金属製等のクリップ
３  工事現場から出る濁流水
４  工事現場から出る濁流水の中に含まれていた汚泥及び小石
５  切断した古タイヤの内側にある半輪状の空間
【図１】
2009156013.tif 000003
【図２】
2009156013.tif 000004
【図３】
2009156013.tif 000005
(57)【要約】【課題】現在シックハウス症候群や化学物質過敏症、アレルギーでお困りのヒトが健康で快適な生活をすごすために、室内の有害化学物質の濃度を低減し、清浄な快適空間を創り出し、ヒトの健康を護れるような居住空間の創出。【解決手段】天井及び壁の全面、又は一部分に光触媒漆喰を塗り、それ以外の部分に遠赤外線効果をもたらす透明塗料水溶液を塗布する方法【選択図】図１
2009156011.tif 000002
【特許請求の範囲】
【請求項１】
天然自然素材を主とする内装材を使用し、天井及び壁の全面又は、一部分に光と熱に反応する光触媒漆喰を塗る事により、継続的に化学物質の吸着分解を行ない乾燥後一週間程度で天然自然素材の内装材に遠赤外線効果をもたらす、無色無臭の透明塗料水溶液を複数回塗布する事により、天然自然素材の化学物質を含まない本物の木の香りを引出す事ができるを特徴とし、より室内の有害化学物質の濃度を低減し、清浄な空気を創り出し、ヒトに優しい清浄効果のある快適空間づくり方法。
【請求項２】
光と熱に反応する光触媒漆喰と遠赤外線効果をもつ、透明塗料水溶液を併用することを特徴とする、請求項１の清浄効果のある快適空間づくり方法。
【請求項３】
請求項１又は請求項２の方法は、一戸建て住宅・集合住宅・事務所・店舗・保育園・幼稚園・病院・老人施設・集会所・など不特定多数のヒトが集まる場所の内装リフォーム及び新築で行える、清浄効果のある快適空間づくり方法。
【発明の詳細な説明】
【技術分野】
【０００１】天然自然素材を主とする内装材を使用し、天井及び壁の全面又は、一部分に光と熱に反応する光触媒漆喰を塗布する事により、自然素材の木材にも含まれる臭い（ホルムアルデヒド、・アセトアルデヒド）等の化学物質の殆どを吸着分解、木の臭いまでをも半減する為、漆喰の乾燥後一週間程度で天然自然素材の内装材に遠赤外線効果をもたらす無色・無臭の透明塗料水溶液を複数回、塗布する事により、自然素材の臭いが本来の木の香りとなり、まるで森林浴をしてるかのような空間を創り出す事ができる。木材の品種はホルムアルデヒド・アセトアルデヒド・テルペン類等が少なく香りの良い針葉樹木材（ヒノキ・スギ・ヒバ・マツ・サクラ等）の種類を利用した方が良い
【背景技術】
【０００２】
【特許文献１】特開２０６６−３３６９１５（Ｐ２００６−３３６９１５Ａ）
【特許文献２】特開２００５−３３６７６８（Ｐ２００５−３３６７６８Ａ）
【特許文献３】特開２００４−３７８３（Ｐ２００４−３７８３Ａ）
【特許文献４】特開２００２−２２７３２４
【発明の開示】
【発明が解決しようとする課題】
【０００３】地球温暖化が世界的に叫ばれ地球規模での環境破壊やオゾン層破壊等、先進国の経済最優先で発展した結果、人々の健康被害がいたるところで噴出し問題となるなか、シックハウス症候群・科学物質過敏症・アレルギー・花粉症など大気汚染が原因と思われる病気が蔓延しつつある。国土交通省は建築の内装材等において指針値を定義付け測定値以内での建物引渡しを義務付けたが、化学物質原因による健康被害者予備軍は、増大する一方で子供を始め大人にもその影響ではないかと思われるような事件の多さである。しかし現代の建築物で科学物質ゼロの資材や材料を求めても不可能に近い。自然素材といえども空気感染で犯され人体に悪影響を与える物質も多数ある。科学物質の人体への吸入は個人差はあれ、誰しも限界はあり、その影響で病気を併発する。全てのヒトが予備軍であると認識すべきであり、居住空間の有害化学物質の濃度を低減し、清浄な快適空間を創り出しヒトの健康維持を護れるような居住空間の確保が急務である。
【課題を解決するための手段】
【０００４】現在お住まいの住宅のリフォーム、又は新築での有害科学物質を低減する方法として内装建材生活必需品から放出される化学物質、暖房器具等から排出される二酸化炭素を室内にて吸着分解・清浄な空気を創りだし、心地よい自然素材の香りを残しヒトが健康維持できる居住空間を創り出す建築内装方法で、既設壁はそのままで下地調整をして漆喰を塗る一定面積の確保と、天井部分の下地はそのままで自然素材を重ね貼り、一部に漆喰塗りのパネルを取付け最後に遠赤外線効果の塗料を数回塗布する予算に合わせたリフォーム、新築が可能で主要な部屋だけでも効力は余り変わらない。
【発明の効果】
【０００５】自然素材の漆喰・木材を多用することによって室内の調湿効果も充分に発揮するので夏涼しく、冬暖かく省エネ効果も夏冬を問わず期待できる。内装材表面そのものが吸着分解の低減素材と成るので一度施工したら機械的なエネルギーを必要とせず、半永久的に持続性があり軽微なメンテナンスで維持できる。現代社会にあってヒトに優しいエコ建築物といえる。だが注目すべきは実施例が示すように室内測定結果のトータルＶＯＣが２２０弱と言う数値は測定地域の外部濃度に迫ろうかと言う値である。このような居住空間が次々に創れたらシックハウス症候群などと言う病名とは無縁に成り、ヒトの健康維持に寄与し、大きく捕らえれば地球温暖化現象に貢献できるのではないか。
【発明を実施するための最良の形態】
【０００６】新築物件において木構造軸組材は、極力集成材の使用を避け自然素材を用い、構造用合板は現場入荷後、天陽干しをしたうえで使用し、断熱材等は極力揮発性化合物を含まない素材で施行し、内装材には天然自然素材を重点的に選び接着剤はなるべく水性系で最小限に留める。床壁天井の表面仕上げ材は天然ムク素材とし、ワックス艶出し材等は使用せず壁天井の全面又は一部分に光触媒漆喰を塗り、又は光媒漆喰を塗ったパネルを取付け施工、浴室キッチンにおいては、シリコーン材の使用は、最小限度に押さえる。全ての内装工事完了後、遠赤外線効果の無色無臭の透明塗料の塗布を漆喰面以外の全てに複数回行い一週間から二週間後に室内測定を実行する。施工方法としてはリフォームも新築に順ずるが可能な限りでよい。
【実施例】
【０００７】築１９年の在来木造軸組構造、一階面積６１．３ｍ２二階床面積４１．４ｍ２の耐震補強工事に共ない、一階部分は床壁天井を全て取り去り一部間取りの変更も行ない構造用合板を内外共、大量に使用のうえ内装を全面改装し工事完了一週間後、ＤＫと和室で室内空気中化学物質の室内濃度指針値及び標準的測定方法について（厚生労働省衛生発第１０９３号）等に基づき、３０分換気後に対象室内を５時間蜜閉し、その後概ね３０分間室内空気を採取し、アクティブ法によるサンプリングで５２物質の科学物質の濃度を求めた。その結果ＴＶＯＣはＤＫで２１３和室で２１１と驚意的な結果をもたらし、厚生労働省室内濃度指針値のホルムアルデヒド等９物質は、殆どが１０分の１以下であった。【０００８】
【表−１】
2009156011.tif 000003
【産業上の利用可能性】
【０００９】この施工方法は環境保護、人々の健康維持、日本古来からの自然の木材を加工利用する為、建築伝統技術の継承も受け継ぎ、国内の山林で大量放置されている間伐材の利用で植林技術の継承も可能となり、山林の整備も促進し、自然災害の減少にも繋がりリサイクル循環型社会の形成に寄与するのではないか。
【図面の簡単な説明】
【００１０】
【図１】一階改築後平面図
【図２】二階改築後平面図
【符号の説明】
【００１１】１．ＤＫ測定場所
２．和室測定場所
３．光触媒漆喰塗り
４．天然自然木材、透明塗料水溶液塗り
【図１】
2009156011.tif 000004
【図２】
2009156011.tif 000005
(57)【要約】【課題】本発明は、賃貸住宅を退去するときに、トラブルとして多かった原状回復費の問題を賃貸借人の両者に入居時と退去時に一定のルールを課して解決するものである。【解決の手段】携帯電話の撮影機能とパソコンの記憶機能を利用して入居時データ、退去時データを共有し退去時に支払うべき原状回復費の内訳を画像とコメントで明確に表現するものである。【選択図】図１
2009032279.tif 000002
【特許請求の範囲】
【請求項１】
入居時に、賃借人と賃貸人が両者立会のもと賃借人の携帯電話で入居前からある損耗等を写真撮影し、その画像データに説明コメントを付けて賃貸人の携帯電話にメールで送信する。賃借人と賃貸人は、この入居時データを賃借人が退去するまで保管義務を有する。
【請求項２】
退去時に、賃借人と賃貸人が両者立会のもと賃貸住宅の原状回復費の算出する作業をおこなうにあたり、退去時の善管注意義務違反によってできた損耗等を賃借人の携帯電話で写真撮影し、その画像データに説明コメントを付けて賃貸人の携帯電話にメールで送信する。賃貸人は入居時データと経年変化とそして通常損耗を確認の上、善管注意義務違反によってできた損耗等のみを抽出する。
【請求項３】
賃貸人は、原状回復費の請求書を善管注意義務違反によってできた損耗等のみの画像データとコメントのみを添付し賃借人に送付する。賃借人は、請求書の内容を保管している入居時データと照合し、相違なければ支払う。
【発明の詳細な説明】
【発明の詳細な説明】
【技術分野】
【０００１】本発明は、賃貸住宅の退去時の原状回復費に関するトラブルの解決手段である。
【背景技術】
【０００２】従来、法的概念は有るものの、実際は入居時と退去時の物件の損耗等の確認に決まった方法が確立されておらず、ケース・バイ・ケースでおこなわれ、業者によってもその温度差は大きかった。
【発明が解決しようとする課題】
【０００３】ケース・バイ・ケースでおこなわれ、業者によって大きかった温度差を一定の具体的な手段を携帯電話、パソコンを有効利用して、ルール化しようとする。
【課題を解決する為の手段】
【０００４】上記課題を解決するために、賃貸者と賃借人の携帯電話を利用し、携帯電話で撮影した入居時の物件の損耗等の画像を両者が共有し、退去時に比較対照の材料にしようとするものである。
【発明を実施するための最良の形態】
【０００５】図１は、入居時に両者立会のもとに賃借人の携帯電話で撮影された物件の損耗等の画像を退去時に両者立会のもと賃借人の携帯電話で撮影した物件の損耗等の画像をお互いに共有し、そしてそれを比較対照させて、入居後明らかに発生させた善管注意事項違反箇所を明確にする。そして、請求書に画像の出力データとそのコメントを添付送付することにより清算するものである。
【発明の効果】
【０００６】本発明は、上記のとおりに構成されているので次の効果を奏する。
【０００７】請求項１については、原状回復問題を入居時の問題と位置づけ、賃貸借人の両者の立会のもと、入居前に賃借人の携帯電話で原状の損耗状況を予め確認して両者の共有データとしておくことである。
【０００８】請求項２については、退去時の状況を賃借人と賃貸人の両者の立会のもと、賃借人の携帯電話で撮影し、善管注意義務違反による損耗等を入居時データ、経年変化、通常損耗等を精査して原状回復費を正確に算出することである。
【０００９】請求項３については、賃借人の善管注意義務違反として発生させた損耗等の原状回復費を画像データとコメントを請求書に添付して請求するものである。
【図面の簡単な説明】
【図１】入居時から退去時を経て損耗等の原状回復費の請求の流れを入居前の損耗等、経年変化、通常損耗そして善管注意義務違反による損耗等のグラフを合体させて時系列に表現したものである。
【符号の説明】
１．    新築時
２．    入居時
３．    退去時
４．    時間軸
５．    品質軸
６．    入居前からの損耗等
７．    経年変化と通常損耗
８．    善管注意義務違反による損耗等
９．    賃借人
１０．  賃貸人
１１．  賃借人の携帯電話で入居前の損耗等の撮影とそのデータを賃貸人の携帯電話への送信
１２．  賃借人のパソコンに送信
１３．  入居前からの損耗等の画像およびテキストデータ保管
１４．  賃貸人のパソコンに送信
１５．  入居前からの損耗等の画像およびテキストデータ保管
１６．  賃借人の携帯電話で退去時の損耗等の撮影とそのデータを賃貸人の携帯電話への送信
１７．  賃借人のパソコンに送信
１８．  退去時の損耗等の画像およびテキストデータ保管
１９．  賃貸人のパソコンに送信
２０．  退去時の損耗等の画像およびテキストデータ保管
２１．  退去時損耗−（入居前からの損耗等＋経年変化と通常損耗）＝善管注意義務違反による損耗等を画像データとコメントを添付して請求
【図１】
2009032279.tif 000003
(57)【要約】      （修正有）【課題】獣医の電子カルテシステムを提供する。【解決手段】電子カルテシステムをＡＳＰ化することでペット情報を共有化し、獣医間のカルテ情報の伝達を可能とし、獣医から与えられたログイン権限によって、飼育者も自己のペットの電子カルテを参照できるようにする。また、システムを利用している獣医を、飼育者が参照できるようにする。【選択図】図１
2009032216.tif 000002
【特許請求の範囲】
【請求項１】
ペット用電子カルテシステムのＡＳＰ化により、獣医間で特定ペットの電子カルテを共用できるようにする情報システム
【請求項２】
当該システム（ＡＳＰ化されたペット用電子カルテシステム）に獣医から与えられたログイン権限によって、飼育者が自己のペットの電子カルテを参照できるようにする情報システム
【請求項３】
当該システム（ＡＳＰ化されたペット用電子カルテシステム）を利用している獣医を、飼育者が参照できるようにする情報システム
【発明の詳細な説明】
【技術分野】
【０００１】ＩＴ
【背景技術】
【０００２】ＷＥＢＤＢ、ＡＳＰ
【発明の開示】
【発明が解決しようとする課題】
【０００３】わが国においてペットを飼う人は沢山おり、我が子のように愛情を感じている飼育者の数は多い。そういうブームの背景で、悪質な犬猫病院も実在し、飼育者に被害を与えるケースが多発している。他方飼育者にはその犬猫病院の良し悪しを選別する情報が不足している上、飼育者の転居にペットが同行する際、犬猫病院間のカルテ情報引継ぎはなく、飼育者の安心感に不安を与えている。
【課題を解決するための手段】
【０００４】上記のような状況下で、ペットを愛し、健全な動機で犬猫病院を営む獣医には、人間同様の電子カルテシステムが必要と考えられ、一部の獣医は実際にパッケージソフトを購入している。本考案はその電子カルテシステムをＡＳＰ化し、獣医の電子カルテシステム導入を促進し、なおかつ獣医間のカルテ情報の伝達を簡便化しようとするものである。また、ＡＳＰ化によるペット情報の共有化により、その共有化を拒む悪質な犬猫病院を駆逐する効果も期待できる。よって飼育者に犬猫病院選別の手段が与えられ、獣医療への安心感が醸成されると考えられる。
【発明の効果】
【０００５】飼育者の獣医療への信頼が増し、安心感が増大する。また獣医療の進歩に寄与すると同時に悪質獣医を駆逐できる。
【発明を実施するための最良の形態】
【０００６】信頼できるペット用電子カルテシステムをＡＳＰにて構築し、優良獣医に利用してもらう。
【実施例】
【０００７】ｅ−ｐｅｔｓ（仮称）のような名称で、当該ＡＳＰを権威化し、広く飼育者に認知してもらう。
【産業上の利用可能性】
【０００８】ペット飼育者は優良獣医を常に探しており、また転居の際にも有効なシステムであるので、当考案に対する日本国民のニーズは高いと考えられる。
【図面の簡単な説明】
【０００９】
【図１】当情報システム（ＡＳＰ）の概要図である。
【図１】
2009032216.tif 000003
(57)【要約】【課題】従来レストランの会計で使用されるＰＯＳは主として精算用のＩＴ機器であり、その機能は会計に主眼が置かれていた。しかしながら他店との差別化を模索しているレストランが使用する接客用ＩＴ機器にしては、顧客サービスのための情報発信機器としての機能に欠けていた。【解決手段】本考案はそのような不足点を補うもので、ＰＯＳの内部、あるいはサーバ内に蓄積されたレシピデータを顧客の要請によって、プリントアウトし、顧客サービスを向上させるものである。【選択図】図１
2009032217.tif 000002
【特許請求の範囲】
【請求項１】
レストラン用会計ＩＴ機器（ＰＯＳ）に、取り扱いメニューのレシピのＤＢを内臓し、顧客の要請により、特定のメニューのレシピをプリントアウトできるようにした情報システム
【請求項２】
レストラン用会計ＩＴ機器（ＰＯＳ）とネットワークで結ばれたサーバに、取り扱いメニューのレシピのＤＢを構築し、顧客の要請により、特定のメニューのレシピをプリントアウトできるようにした情報システム
【発明の詳細な説明】
【技術分野】
【０００１】ＩＴ
【背景技術】
【０００２】ＤＢ、ＰＯＳ
【発明の開示】
【発明が解決しようとする課題】
【０００３】従来レストランの会計で使用されるＰＯＳは主として精算用のＩＴ機器であり、その機能は会計に主眼が置かれていた。しかしながら他店との差別化を模索しているレストランが使用する接客用ＩＴ機器にしては、顧客サービスのための情報発信機器としての機能に欠けていた。
【課題を解決するための手段】
【０００４】本考案はそのような不足点を補うもので、ＰＯＳの内部、あるいはサーバ内に蓄積されたレシピデータを顧客の要請によって、プリントアウトし、顧客サービスを向上させるものである。
【発明の効果】
【０００５】当該システムを使用するレストランの顧客サービスが向上し、グルメファンが増えつつあるわが国において、そのレストランが他店との差別化を実現できる。
【発明を実施するための最良の形態】
【０００６】すべての顧客に提供するのではなく、料理等がおいしいと感じた顧客の要請によりレシピをプリントし、レシートと一緒に顧客に提供する。
【実施例】
【０００７】ファミリーレストランのような大衆店ではなく、高級店で効果があがると思われる。
【産業上の利用可能性】
【０００８】外食産業は常に競争下にあり、当該システムは他店との差別化には効果的と思われる。味、価格、従業員の接客態度がレストランの顧客サービスの原点ではあるが、情報提供という新しいジャンルの顧客サービスとなり、そのニーズは高いと考えられる。
【図面の簡単な説明】
【０００９】
【図１】当情報システムの概要図である。
【図１】
2009032217.tif 000003
(57)【要約】【課題】電話による相談者に対して、相談内容にマッチした相談回答者の紹介と相談に伴う電話料金の負担を軽減させた相談仲介システムを提供する。【解決手段】電話による相談者と電話相談回答者である占い師・鑑定者との通話をコレクトコールによる鑑定と転送電話鑑定を行うことにより相談者の通話料金の負担を無料にした電話による占い相談サポートシステムを構築した。【選択図】図１
2009032222.tif 000002
【特許請求の範囲】
【請求項１】
電話による相談者と電話相談回答者である占い師・鑑定者との通話をコレクトコールによる鑑定で行うことを特徴とする電話占い相談サポートシステム。
【請求項２】
電話による相談者と電話相談回答者である占い師・鑑定者との通話を転送電話鑑定で行うことを特徴とする電話占い相談サポートシステム。
【発明の詳細な説明】
【技術分野】
【０００１】  本発明は、電話回線を通して占いなどのサービスを行う電話占いに関するものである。
【背景技術】
【０００２】  従来、電話回線を通して占いサービス等を行う場合、占いサービスを受ける消費者側が占い師に対して電話などの手段で直接通話が行われるのが一般的である。【０００３】  この方法の場合は、電話の使用料がかさむこと及び当事者同士間の通話可能時間帯が一致しないなどの不合理が発生していた。【０００４】  また、一方で、電話回線でインターネット接続された相談者の端末画面をマウスなどで操作しながら応答できるインターネット電話相談サービスシステムが存在している。（例えば、特許文献１参照）【０００５】  しかしながら、この方法は、非常に細かい操作を行う必要があって、ある程度熟練したものしかサービスの恩恵を得ることができなかった。【０００６】
【特許文献１】  特開２００２−３００３０４（図１ないし図５）「インターネット電話相談サービスシステム」
【０００７】  以下、「特許文献１」により、従来の電話相談サービスシステムについて、説明すると下記の通りである。【０００８】  端末画面を見ながら音声により質疑応答できることはもちろん、必要に応じて電話相談センターの応答者が、専用電話回線ないし一般電話回線でインターネット接続された相談者の端末画面をマウス等で遠隔操作しながら応答できるインターネット電話相談サービスシステムを提供することを目的としている。【０００９】    以上が、従来の電話相談サービスシステムに関する技術であり、日常茶飯的には利用し難いものであり、特に電話占いサービスには向かないものであった。
【発明の開示】
【発明が解決しようとする課題】
【００１０】    電話による相談者に対して、相談内容にマッチした相談回答者の紹介と相談に伴う電話料金の負担を軽減させた相談仲介システムを提供する。
【課題を解決するための手段】
【００１１】  課題を解決するための手段として、電話による相談をコレクトコールのサポートシステムを活用して、上記の課題を下記の運用構成で実施することにした。【００１３】  電話によるコレクトコールシステムの主な運用構成は、（１）顧客からの電話による依頼を電話占い業者が受信する。（２）この占い業者が相談者の相談内容・通話可能時間帯を相談回答者に送信する。（３）相談回答者が転送電話占いを実施する。（４）然る後、占い業者が相談者に占い料金を請求する。を構成している。【００１４】  このように、電話回線を通して占いサービスを受ける消費者側と占い師が一対一のコレクトコールなどの手段で直接通話が行われるようにした。
【発明を実施するための最良の形態】
【００１５】  以下、本発明の実施の形態について、図１を使用して説明する。【００１６】  まず、相談者が自身の電話・携帯電話（１１）から相談仲介業者へ架電する。【００１７】
【００１８】  相談仲介業者の受信オペレーターは、相談者と電話で会話しながら、相談内容や希望する相談回答者名さらに回答通話時間帯などを記録する。【００１９】  相談回答者が選定されれば、決定した相談時間帯に相談回答者（２２）から相談者（１１）に携帯電話等で占い相談サービスの提供を開始することが出来る。【００２０】  然る後、電話占い業者（４４）は、通話時間の長短等を考慮した占いサービス料金を相談者（１１）に請求する仕組みにしている。
【発明の効果】
【００２１】  このような運用システムによれば、ＮＴＴ自動コレクトコールの場合、料金面で見ると、通話料金は、〔（通話料；３０円／分）＋（手数料；９０円）〕となるが、顧客である相談者（１１）の通話料は完全無料で通話できる。
【００２２】  以上に説明してきたように、本発明の（請求項１）および（請求項２）に記載のように、従来には考え出されなかったシステムが使用出来る。
【本発明を実施するための最良の形態】
【００２３】  以下に本発明の具体的な実施形態を図面に基づいて詳細に説明する。
図１は、本発明実施の形態における一例を示すシステム図である。
【産業上の利用可能性】
【００２８】  上述のように、電話による相談ビジネスに不可欠のシステムであり、サービスレベルの向上なども可能となり、まったく新しいカテゴリーの電話による相談ビジネスを提供することが出来る。
【図面の簡単な説明】
【００２９】
【図１】本発明実施の形態における一例を示すシステム図である。
【符号の説明】
【００３０】１１  相談者の電話器
２２  相談回答者の電話器
３３  通信会社の交換局
４４  相談仲介業者のシステム構成
【図１】
2009032222.tif 000003
(57)【要約】【課題】ＬＧＡ・ＢＧＡ端子ＩＣとプリント基板とをハンダ付けすることなく電気的接続をするコネクタにおいて、バネ加重が小さくても確実な電気的接触を得られる構造、高周波数、狭ピッチなどに対応できる安価なコンタクトシートの開発。【解決手段】バネ部分が金属メッキされた繊維シートを利用することを特徴とし、上部バネはＩＣ端子と、下部バネはプリント基板と接続、上部と下部のバネは、可動部分のスペースとしても利用される導電スルホールによって接続される構造になっているコンタクトシートをもって解決する。【選択図】図１
2009032632.tif 000002
【特許請求の範囲】
【請求項１】
コンタクトシートや、アクセサリシートのバネ部分に金属メッキした繊維シートを利用する構造。
【発明の詳細な説明】
【技術分野】
【０００１】本発明は、ＢＧＡ端子ＩＣやＬＧＡ端子ＩＣと、プリント基板とを、ハンダハンダ付けなしに接続をするソケットで用いるコンタクトシートに関する。
【背景技術】
【０００２】ＢＧＡ端子やＬＧＡ端子を持つＩＣとプリント基板とを、ハンダ付けをせずに接続するためには、内部にあるバネで圧力をかけて接続を確保するポゴピンを使ったソケットが一般に使用されている。【０００３】しかし、端子数が１０００を超えるような多端子ＩＣや、高周波ＩＣ、端子間距離が０．５ｍｍ以下の狭ピッチＩＣなど、さまざまな形状のＩＣの出現で、それらに対応できるポゴピンとなると高コストにならざるをえない。
【発明の開示】
【発明が解決しようとする課題】
【０００４】電気的に確実な接触を確保するため、ＩＣ端子とコネクタとをある程度の圧力で押し付ける必要があり、これにバネを利用するが、多端子ＩＣになると全体のバネ圧力が強大になり、押さえるソケットを頑丈に作らざるをえなくなるため、コスト低減のためには、バネ加重が小さくても確実な電気的接触を得られる構造が求められる。【０００５】また高周波ＩＣに対応するには、低いインダクタンスが必要で、ＩＣとプリント基板との距離ができるだけ短く、さらに狭ピッチに対応できる安価なコネクタの開発が課題である。
【課題を解決するための手段】
【０００６】上記課題を解決するために、ＢＧＡ・ＬＧＡ端子ＩＣとプリント基板とを接続するための薄型のコンタクトシートを提案する。このコンタクトシートは、図１のように、バネ部分が金属メッキされた繊維シートを利用することを特徴とし、上部バネはＩＣ端子と、下部バネはプリント基板と接続、上部と下部のバネは、可動部分のスペースとしても利用される導電スルホールによって接続される構造になっている。【０００７】ＢＧＡ端子ＩＣの場合は、図１のようにＩＣからハンダボールが突起しているため、上部バネに直接接続する。また、プリント基板側パッドが突起している場合には、下部バネに直接接続する。【０００６】ＬＧＡ端子ＩＣ、あるいは突起のないプリント基板側パッドの場合は、図２のようなバネ中央部が突起したコンタクトシートを使うか、あるいは、図３のようなバネ中央部を上下に突起させたアクセサリシートを、ＩＣ端子とコンタクトシートの間にはさんで電気的導通を確保する。【０００７】バネに用いる繊維シートの繊維は、セラミック、シリカ、ガラス、アラミドなど、絶縁素材で且つ伸縮性があり、曲げや引っ張りに強い素材がのぞましい。繊維は、スルホールメッキ工程でメッキ液が浸透できるよう、開口部のある程度あるようなメッシュ構造などの編み方であればよい。
【発明の効果】
【０００８】本発明であるコンタクトシートは、金属メッキされた繊維シートが、押された形状と同じように変形し、軽い加重で大きな接触面積をとれるため、小さいバネ反発力でも確実な電気的接触が得られる。また、伸縮性の高い繊維を用いることにより、バネ性を確保し複数回の使用に耐える耐久性も得る。【０００９】構造的に短い接続経路をもつ上、スルホール同士は誘電率の低い絶縁樹脂基材で隔てられ、銅などの導電率の高いスルホールメッキが施されているため、高周波数ＩＣに対応できる低インダクタンスを実現している。
【発明を実施するための最良の形態】
【００１０】製造方法として、先に孔加工済みの銅箔や樹脂プリプレグ、基材樹脂基板と繊維シートを、図４のように銅箔、樹脂プリプレグ、繊維シート、樹脂プリプレグ、基材樹脂、樹脂プリプレグ、繊維シート、樹脂プリプレグ、銅箔の順番ではさんで熱プレスして接着し、スルホールメッキを施したのちに、バネ部とスルホール部以外の金属をエッチングする。【００１１】バネ中央に突起のついたコンタクトシートの製造方法は、すこし複雑になるが、銅箔と樹脂プリプレグの孔加工は、エッチングによって行いその際、バネ中央部に銅箔を残し、孔の中央に島がある状態◎のシートをもちいて熱プレスをする。スルホールメッキを施した後、中央の島以外をマスキングして二次銅メッキ方式で島部分のみを厚くメッキする。最後に、島部分をマスキングして、孔の周囲をエッチングすれば、島部分が突起したコンタクトシートができる。【００１２】アクセサリシートは、銅箔、樹脂プリプレグ、繊維シート、樹脂プリプレグ、銅箔で熱プレスするほかは、突起つきコンタクトシートと同じ方式で製造できる。
【図面の簡単な説明】
【図１】コンタクトシートの斜視図と断面図
【図２】ＬＧＡ用コンタクトシートの斜視図と断面図
【図３】アクセサリシートの側面図
【図４】コンタクトシートの製造法の断面図
【図１】
2009032632.tif 000003
【図２】
2009032632.tif 000004
【図３】
2009032632.tif 000005
【図４】
2009032632.tif 000006
(57)【要約】【課題】従来の計算機は音声で世界のワード計算を手袋では読み上げられなかったという問題があった。【解決手段】  従来の計算を手袋の指先、関節、手首、手の甲、指の付け根など、弾力を持たせた接触部位のスイッチから読みあげる数値、記号を世界のワードで音声にする計算とゲームの機能に美容器具のライトアップを構成、ＩＣチップに指先から読み取り機能を配設した手袋計算機。【選択図】図１
2009099127.tif 000002
【特許請求の範囲】
【請求項１】
手袋に計算機の接触部位数字と記号の計算機能、各国のワード音声化機能、接触部位の美容効果のあるライトアップ、ＩＣチップへ指先から読み取る機能を配設した手袋計算機。
【発明の詳細な説明】
【技術分野】
【０００１】本発明は、計算を手袋で行える計算機に関する。
【背景技術】
【０００２】従来の計算機は見ながら行う計算機などであった。
【発明の開示】
【発明が解決しようとする課題】
【０００６】従来の計算機では卓上の計算機能として認識されていた。【０００７】本発明は、このような従来の電子計算機の正確な計算機機能を生かして、手袋で計算する計算機である。
【課題を解決するための手段】
【０００８】本発明は上記目的を達成するために手袋の指先、間接、手のひら、手の甲、手首などの接触部位が反応する計算機である。接触する数字、記号の配置を手袋全体から選択して、計算やゲームを行える構成。手袋の接触部位を計算工程通りに光点が追従する。そして、世界中のワード音声化選択機能により、計算工程を音声で確認しながら計算する。そして、計算したとおりに、音声ガイド確認ができることから、間違い合わせができる。【０００９】接触した数字や記号はＩＣチップで読み取り記録する。
【発明の効果】
【００１３】以下、本考案の実施形態を図面図１〜図５に基づいて説明する。【００１４】図においては、１はライトアップ機能を施した数字、記号などの接触部位の参考実施例図であり、２はコンピューター用機能用コンセント部である。３は接触部位の数字や記号。４は、画面表示、５は数字や記号などの接触部分の設定をカラーライトアップとして行い、時間ごとに色が変化する時刻のお知らせ機能などが、美肌効果のある点滅ライトなどで構成するとリラックス効果やマッサージが施される。計算仕事の合間にも応用効果が発揮できる。【００１５】従来の見るだけ計算機能でも手袋全体の暗算計算ゲームとして行える。
【産業上の利用可能性】
【００１６】上述したように本考案の手袋計算機は、計算能力を高める機能や計算ゲーム、読書や美容にも効果的なライト照明を構成することで、手袋計算をしながらダンスやマラソン他、暗い場所や机がない所でも計算ができるため、手袋の新素材で家庭用ゲーム機として、画面に現れる表示を計算する手袋計算機。
【図面の簡単な説明】
【００２１】
【図１】本考案形態を示す手袋計算機の数字、記号の手のひら参考例図
【図２】同上考案実施の手の甲部分の表示画面の参考例図
【図３】同上考案実施の接触部位参考表示例図
【図４】同上考案実施の接触部位とやみやすい液晶表示図
【図５】考案実施側面の参考例図
【図６】同上実施側面の参考例図
【図７】バーコード脱着参考例図
【符号の説明】
【００２２】１  数字参考部位
２  記号参考部位
３  液晶計算表示画面部位
４  ＩＣ部
５  バーコード読み取り脱着参考部
【図１】
2009099127.tif 000003
【手続補正書】
【提出日】平成20年12月18日(2008.12.18)
【手続補正１】
【補正対象書類名】明細書
【補正対象項目名】００２１
【補正方法】変更
【補正の内容】
【００２１】
【図１】  本考案形態を示す手袋計算機のライト照明を示す参考例図
【図２】  本考案形態を示す手袋計算機の手のひら側参考図
【図３】  本考案形態を示す手袋計算機の両側面の参考図
【手続補正２】
【補正対象書類名】明細書
【補正対象項目名】００２２
【補正方法】変更
【補正の内容】
【００２２】１  ライト
２  記号
３  数字
４  ＵＳＢ
５  ＩＣ記録
６  赤外線通信
７  記録表示
８  スピーカー
９  読み取り機能脱着部位
【手続補正２】
【補正対象書類名】図面
【補正対象項目名】全図
【補正方法】変更
【補正の内容】
【図１】
2009099127.tif 000004
【図２】
2009099127.tif 000005
【図３】
2009099127.tif 000006
(57)【要約】【課題】    電力供給の必要なＬＥＤ板等の被取付体と取り付け面との間の配線を、スペーサー内部に収容することを可能とする。【解決手段】    ＬＥＤ板等の被取付体と取り付け面の間にある配線を、配線穴１をもった化粧スペーサー３に通し、化粧スペーサー３を取り付け面に留め具小２により直接設置し、化粧スペーサー３の切り欠け部にＬＥＤ板等の被取付体をはめ、その上から留め具大４で固定して設置する。【選択図】図１
2009099508.tif 000002
【特許請求の範囲】
【請求項１】
側面に被取付体の一部を取り付けるための切り欠け部と該切り欠け部から一端面に貫通する配線穴を設けたことを特徴とするスペーサー。
【発明の詳細な説明】
【技術分野】
【０００１】  本発明は、配線を隠すために本体内に配線穴を設けたスペーサーに関するものである。
【背景技術】
【０００２】  電力供給のための配線を必要とする案内板・看板等の装置を設置する場合、配線を隠すためには取り付け面に装置を埋め込む必要がある。しかし、装置を取り付け面から離して使用する場合は、取り付け面から装置本体までの配線が剥き出しになる。【０００３】  しかし、その場合、見栄えが悪くなる且つ危険でもあるため、配線を隠すために、通常は取り付け面に埋め込むように設置していた。
【発明の開示】
【発明が解決しようとする課題】
【０００４】  以上のように、電力供給のための配線を必要とする案内板・看板等を取り付け面から離して設置する場合や電力供給を必要とする機械等を取り付け面から空間を設けて設置する必要がある場合、取り付け面から本体までの配線が剥き出しになるという問題があった。【０００５】  解決しようとする問題点は、配線を隠して美観を保ち、且つ安全性を確保する点である。
【課題を解決するための手段】
【０００６】  本発明は、電力供給を必要とする看板・機械等の被取付体を取り付け面から離して設置する際、図１のように、被取付体７の一部が取り付け可能な切り欠け部６を設け、更に切り欠け部６を備えた一端面から他の端面に貫通する配線穴１を設けて、被取付体から出る配線５を配線穴１の内部に納めることを主要な特徴とする。
【発明の効果】
【０００７】  本発明の化粧スペーサーは、図１のように、被取付体７の配線５をスペーサー内部に設けられた配線穴１に納め、美観と安全性を確保するという利点がある。
【実施例】
【０００８】  図５はＬＥＤ板１０に本発明の化粧スペーサーを使用した斜視図である。被取付体であるＬＥＤ板１０は、図１の化粧スペーサー３の切り欠け部６に設置可能な形になるように予め四隅をカットし、該ＬＥＤ板１０から出る配線５を図１のように配線穴１に通し、図５のように設置する。図４のように、留め具小２で取り付け面に化粧スペーサー３を留め、ＬＥＤ板１０を設置し留め具大４を留め具大差込口９に差し込む。
ＬＥＤ板の持つ透明な素材感を充分に生かした使用例である。【０００９】  以上本発明の代表的と思われる実施例について説明した。配線穴１は図３では縦軸のスペーサーの留め具の差込口に対して平行になるように設けられているが、平行ではなく、縦軸に対して斜めの方向でも可能とする。また、配線穴１は留め具小２の２点を通る線に対し垂直になる直線状に設けられているが、化粧スペーサー３上のいずれにでも設けることを可能とする。また、被取付体７に留め具大４を差し込む穴を設けることが可能な場合は、四隅を収納する切り欠け部をつくらない形を可能とする。このように、本発明は必ずしもこの実施例の構造のみに限定されるものではなく、本発明にいう構成要件をそなえ、本発明にいう目的を達成し、本発明による効果を有する範囲内において適宜改変して実施することができるものである。
【図面の簡単な説明】
【００１０】
【図１】化粧スペーサーの、配線穴に配線を通し被取付体を設置した状態の側断面図である。
【図２】化粧スペーサーの上面図である。
【図３】化粧スペーサーの、配線穴のある側断面図である。
【図４】化粧スペーサーの、留め具のある側断面図である。
【図５】化粧スペーサーの一実施方法を示した説明図である。（実施例１）
【符号の説明】
【００１１】１    配線穴
２    留め具小
３    化粧スペーサー
４    留め具大
５    配線
６    切り欠け部
７    被取付体
８    取り付け面
９    留め具大差込口
１０  ＬＥＤ板
【図１】
2009099508.tif 000003
【図２】
2009099508.tif 000004
【図３】
2009099508.tif 000005
【図４】
2009099508.tif 000006
【図５】
2009099508.tif 000007
(57)【要約】【課題】  既存のマイクロ抽出装置では、二流体を同じ方向（平流）に流すことはできるが、互いに逆方向（向流）に流すのは困難である。そのため既存のマイクロ装置では、溝（マイクロチャネル）部を長く取っても、一理論平衡段の抽出効果しか期待できないという欠点がある。【解決手段】  本発明では、溝（マイクロチャネル）部が隔膜で二分されたマイクロ抽出装置を考案した。この隔膜を挟んで、二流体を向流方向に流すことが可能になった。さらに溝内流体間での目的物質の移動の促進を図るために、溝内に小球を入れて、この小球の左右の運動により各溝内流体を攪拌混合できるようにした。【選択図】図２
2009050835.tif 000002
【特許請求の範囲】
【請求項１】
本発明は、上下運動する溝（マイクロチャンネル）部を持つマイクロ向流抽出装置を製作したことを特徴とする。
本装置には以下の特徴がある。
（１）本装置では、数個の小球が入った溝（マイクロチャネル）部を連続的に上下に動かすことにより、溝内の流体の混合を行う。
（２）本装置では、溝が隔膜により二分割されており、隔膜を通して溝内流体間で目的物質の抽出を行う。
（３）本装置では、マイクロレベルでの連続向流抽出が可能である。
（４）本装置では、異相系流体間（気−液、液−液系間）だけでなく、均一流体間でも目的物質の抽出が可能である。
【発明の詳細な説明】
【技術分野】
【０００１】  本発明は、（１）小球の転がりにより流体を攪拌し、２）隔膜を通して流体間の物質移動を図るマイクロ向流抽出装置を製作したことに関する。
本発明は、異相系（液−液系、気−液系）の抽出（物質移動）だけでなく、均一相系の抽出にも適用可能なマイクロ抽出装置である。
【背景技術】
【０００２】  マイクロ化学プロセスは、小規模生産に向いた化学プロセスであり、実用化はまだ始まったばかりである。今後、医薬品や医薬品中間体の製造や、研究室規模での有機化合物の合成等に用いられることが期待されている。マイクロ化学プロセスは、マイクロリアクター、マイクロ分離装置（マイクロ蒸留塔、マイクロ抽出装置等）、マイクロミキサーやマイクロポンプ等から構成されている。
マイクロ装置の特徴としては、（１）溝（マイクロチャンネル）部内の流体（気体、液体）の流れが層流であること、（２）流体の単位体積あたりの表面積が大きいこと、が挙げられる。
本発明は新しいマイクロ抽出装置の製作に関するものなので、以下では、マイクロ抽出装置に議論を絞る。互いに接する二つの溝（マイクロチャネル）中を流れる二流体間（気−液、液−液間）での物質の移動を考えると、上記（１）は流体間の移動速度を低下させる要因になるが、（２）は、溝の径が小さいほど流体の接触面積が大きくなるので、物質の移動速度を増大させる要因になる。さらに通常のマイクロ装置では、二流体を向流方向に流すことは困難である。
【発明の開示】
【発明が解決しようとする課題】
【０００３】  ［０００２］の（１）で述べたように、通常のマイクロ装置内の流体の流れは層流である。それに対して、本発明の装置では、小球の左右の転がりにより溝内を流れる液を撹拌混合できるようにした。このことにより、二流体間の物質移動の促進を図れる。さらに溝部を隔膜により二分割することにより、向流抽出が可能になった。
本装置で使用する隔膜としては、透析膜や、濾紙に油脂やシリコーングリース等を滲みこませた物を考えている。
【課題を解決するための手段】
【０００４】    本発明では、以下のようなマイクロ抽出装置を考案した。
（１）マイクロ抽出装置本体の作成。
図１のような、縦方向と深さ方向がともに数ミリで、横方向が数十センチある溝を有する板を、二枚作成した。そして、この板の溝部に数ミリの小金属球をそれぞれ数個入れた。そしてこれらの板の中間に隔膜を挟んで、溝面どうしを合わせて、数個のボルトで留めることにより、マイクロ抽出装置本体を作成した。
（２）マイクロ抽出装置の組み立て
図２のようにマイクロ抽出装置を、立てて、組み立てた。装置本体は、ほぼ中間点で、三角形の支持棒により支えられている。さらに小さい鉄棒（鉄芯＋ストロー）が、本体の右端に、ガムテープで張り付けられている。Ｏｎ−ｏｆｆタイマーを働かせて、電磁石で、この鉄棒を上下させることにより、装置本体を上下に動かすことが出来るようになっている。この上下運動により溝中の金属球が左右に転がり、液が混合される。さらに図３のように、抽出装置本体を横方向に組立てることも可能である。【０００５】  本発明のマイクロ装置では、二つの流体をマイクロポンプで、細管（ステンレススチール）を通して、互いに逆方向（向流）に溝内に連続的に流すことを特徴とする。
この装置の運転により、（抽出目的物質を含む）流体を一方から流して、隔膜を通して、他方の流体中にその物質を抽出させることが出来る。
【発明の効果】
【０００６】  この装置の製作により、向流マイクロ抽出を連続的に行うことが可能になった。
【発明を実施するための最良の形態】
【０００７】  この発明の実施形態を示す。図４のような抽出装置の溝板を、アクリル樹脂板で４枚製作した。その外形は縦８０ｍｍ、厚さ２０ｍｍおよび横５００ｍｍで、溝部の寸法は縦４ｍｍ、深さ４ｍｍおよび横４００ｍｍである。そして前述の図２または、図３のようにマイクロ装置を組み立てた。各溝部には、１／８インチ（＝３．１７５ｍｍｍ）タングステン球５個を入れた。隔膜として、透析膜を使用した。図２では溝部は並列（右左）に接しており、図３では上下に接している。水を二方向から流した実験では、いずれの場合も装置本体を１２度傾斜させると、小球が転がることが分かった。さらに転がり時間は、２．８秒であることが分かった。
図２と図３の組み立ての違いにより、隔膜間の物質移動どのように異なるかは、現時点では不明である。
【図面の簡単な説明】
【０００８】
【図１】  マイクロ抽出装置の溝板の略図。この板二枚を張り合わせて一つにして使用する。
【図２】  縦方向にマイクロ抽出装置を組み立てたときの図。この組み立て図では、二つの溝は平行に配置されている。隔膜は垂直方向にある。
【図３】  横方向にマイクロ抽出装置を組み立てたときの図。この組み立て図では、二つの溝は上下に配置されている。隔膜は水平方向にある。上の溝内の金属球は隔膜の上に乗っている。
【図４】  実際に製作した抽出装置の溝板の略図。
【図１】
2009050835.tif 000003
【図２】
2009050835.tif 000004
【図３】
2009050835.tif 000005
【図４】
2009050835.tif 000006
(57)【要約】【課題】水槽内の汚水の取り替え、汚泥・ゴミ等の排出、水槽内部の清掃が簡単にできる、底面に傾斜を付け、排水装置を設けた水槽を提供する。【解決手段】水槽の下部に排水装置を付けて、下層部の水の取り替えや汚泥・ゴミ等の排出を容易にし、水槽内部の掃除も注排水しながら簡単にできることを特徴とする、底面に傾斜を付け、排水装置を設けた水槽。【選択図】図１
2009050249.tif 000002
【特許請求の範囲】
【請求項１】
水槽底面を排水口に向かって傾斜させ、底部の汚泥物を簡単に排出させることを特徴とする、底面に傾斜を付け排水装置を設けた水槽。
【発明の詳細な説明】
【技術分野】
【０００１】  本発明は、水槽の底面に傾斜を付けることによって、水槽内の汚れた水やゴミ等を簡単に排出させ、水槽内の掃除や水の取り替えが早くできる排水装置付き水槽に関するものである。
【背景技術】
【０００２】  従来、水槽内の水の一部を替えるときは、バケツ等の容器を使って水をくみ出さなければならなかった。また、水槽底部にたまった汚泥やゴミ等は、水槽内の水をくみ出してから汚泥・ゴミ等を洗い流していた。
【発明の開示】
【発明が解決しようとする課題】
【０００３】  そのために次のような問題点があった。
（イ）水槽で飼育している水生生物を、そのままの状態で水の一部を替えようとするとき、バケツ等の容器では上層の水を替えるだけで、底部の汚泥・ゴミ等は取り除くことができなかった。
（ロ）底部の汚泥・ゴミ等を除去するには、水を汲み替えながら時間をかけて掃除をしなければならなかった。
本発明は、以上の問題点を解決するためになされたものである。
【課題を解決するための手段】
【０００４】  水槽の底部に排水口を設けて、底部にたまる汚水等が排水口付近に集まるように、底面に傾斜を付ける。排水装置から底部の汚水を流し出して、新しい水を注ぎ足したり、水を流しながら水槽内部の掃除が簡単にできる。
【発明の効果】
【０００５】  （イ）水槽内の下層部の汚れた水を替えるときは、排水装置から汚水とともに汚泥等を排出させた後、きれいな水を補充すれば、常に水槽内の水質を良好に保つことができる。
（ロ）水槽の掃除は、コックを解放の状態にして、汚水を排出させながら内部を洗い流せるので、短時間で楽にできる。
【発明を実施するための最良の形態】
【０００６】  以下、本発明の実施の形態について説明する。
水槽底部に排水装置（２）を装着し、底面（１）を排水口（３）に向かって傾斜を付ける。排水口（３）付近に集まった汚泥等を排出しやすいように、排水口（３）は底部の最も低い位置に設ける。尚、（図２）＜底盤＞図のように、傾斜する底面を含む水槽の下部を別個に作製して、その上に壁面（５）を付けても良い。
本発明は以上のような構造で、これを使用するときは、排水装置（２）にホースをつなぎ、排水の準備をしておく。水槽内の水の一部を替えるときは、コック（４）をひねって汚泥・ゴミ等を排出させた後、きれいな水を補充する。また、水槽内を掃除するときは、壁面の苔等を落としながら注排水する。週に１回程度掃除すれば、水槽内の水質は良好な状態を維持できる。
【図面の簡単な説明】
【０００７】
【図１】本発明の斜視図
【図２】底盤の斜視図
【符号の説明】
【０００８】  １  底面
２  排水装置
３  排水口
４  コック
５  壁面
【図１】
2009050249.tif 000003
【図２】
2009050249.tif 000004